(57)【要約】【課題】トイレ使用後に手動による操作力を利用し、用便袋の処理を可能とした、仮設トイレを提供する。【解決手段】便器本体には封着手段を設け、使用後の用便袋を封着手段まで手繰り寄せると共にこの用便袋を、封着手段を通過させることで用便袋の開口側を封着する。  封着手段は、便器本体の開口部に連通する導入路を設けたユニット基体を備え、このユニット基体には、導入路を挟んで、スプロケット、ガイドレバー、ガイドローラ、カッターを配設し、用便袋の開口近傍を封着するための封着用テープを引き出し可能に保持するロールを備える。【選択図】図３
2008302087.tif 000002
【特許請求の範囲】
【請求項１】
仮設トイレにおいて、
上面に、使用者が座る便座を設けると共に、この便座下に用便袋の収容空間を形成した便器本体を備え、
この便器本体には、手繰り寄せた使用後の用便袋を通過させることで、この用便袋の開口側を封着する封着手段を備えたことを特徴とする仮設トイレ。
【請求項２】
前記便器本体には、使用後の用便袋を前記封着手段まで手繰り寄せる手繰り寄せ手段を設けたことを特徴とする請求項１に記載の仮設トイレ。
【請求項３】
前記封着手段は、前記便器本体の開口部に連通する導入路を設けたユニット基体を備え、
このユニット基体には、前記導入路を挟んで、スプロケット、ガイドレバー、ガイドローラ、カッターを配設し、前記用便袋の開口近傍を封着するための封着用テープを引き出し可能に保持するロールを備えたことを特徴とする請求項１に記載の仮設トイレ。
【請求項４】
前記手繰り寄せ手段は、前記便器本体の開口部周縁部に対し、常時、拡散する方向に付勢されている紐状部材と、
この紐状部材を、付勢力に抗して引っ張ることで、前記便器本体の内部収容空間にセットされた用便袋を、前記封着手段のユニット基体における導入路に手繰り寄せる操作手段とを備えたことを特徴とする請求項２または３に記載の仮設トイレ。
【請求項５】
前記手繰り寄せ手段は、前記便器本体上面の開口部周縁部に開口部を挟んで一対配置した手繰り寄せ棒を備え、
これら手繰り寄せ棒は、一方を可動側とすると共に、他方側を固定側として、可動側の手繰り寄せ棒を固定側の手繰り寄せ棒に向かって、前記便器本体の内部収容空間にセットされた用便袋を挟んだ状態で前記開口部を横切り移動させる構成とする一方、それぞれ軸方向に、前記便器本体から引き出し可能に構成し、
前記固定側の手繰り寄せ棒近傍の便器本体に、前記封着手段に通ずる手繰り寄せ用の凹部を設け、
前記手繰り寄せ棒には、前記便器本体の凹部と対向する側に手繰り寄せ用のフックを突設したことを特徴とする請求項２または３に記載の仮設トイレ。
【請求項６】
前記手繰り寄せ手段は、前記便器本体上面の開口部周縁部に開口部を挟んで一対配置した手繰り寄せ棒を備え、
これら手繰り寄せ棒は、双方とも前記開口部を横切る方向に移動可能とすると共に、間に前記便器本体の内部収容空間にセットされた用便袋を挟んだ状態で、前記開口部を横切り移動して互いに当接させる構成とする一方、それぞれ軸方向に、前記便器本体から引き出し可能に構成し、
前記便器本体中間部位に、前記封着手段に通ずる手繰り寄せ用の凹部を設け、
前記手繰り寄せ棒には、前記便器本体の凹部と対向する側に手繰り寄せ用のフックを突設したことを特徴とする請求項２または３に記載の仮設トイレ。
【請求項７】
前記手繰り寄せ手段は、前記便器本体の開口部上に、二つのループを交差するように形成したワイヤ部材を備え、
このワイヤ部材の二つのループを形成する、交差箇所には、交差箇所を移動可能として、二つのループの大きさを変える構成とした交差位置調整部材を介在させ、
この交差位置調整部材は、便器本体側面に沿って移動可能に設けた移動手段と接続し、  前記交差位置調整部材は、常に一定方向に移動するように付勢し、
前記交差位置調整部材を付勢力に抗して移動させることで、ループ内に挟まれた用便袋を前記便器本体に併設した前記封着手段に手繰り寄せる構成としたことを特徴とする請求項２または３に記載の仮設トイレ。
【請求項８】
前記手繰り寄せ手段は、前記便器本体の開口部上に、二つのループを交差するように形成したワイヤ部材を備え、
このワイヤ部材の二つのループを形成する、交差箇所には、交差箇所を移動可能として、二つのループの大きさを変える構成とした交差位置調整部材を介在させ、
この交差位置調整部材は、便器本体側面に沿って移動可能に設けた移動手段と接続し、  前記交差位置調整部材は、双方向に移動可能とし、
前記交差位置調整部材を双方向に移動させることで、双方のループ内に交互に用便袋を挟んで前記便器本体両側に併設した封着手段に手繰り寄せる構成としたことを特徴とする請求項２または３に記載の仮設トイレ。
【請求項９】
前記手繰り寄せ手段は、前記便器本体の内部収容空間に対向するように配設した可動締込当接部材と固定締込当接部材とを備え、
前記可動締込当接部材には、封着手段を搭載すると共に、起立した際の前記固定締込当接部材に対向する上面の中心に、前記封着手段につながる凹部を形成し、
前記用便袋を、前記可動締込当接部材と前記固定締込当接部材との間に挟持すると共に、前記用便袋を、前記可動締込当接部材の谷部における凹部を通じて、前記封着手段に押込んで前記用便袋を封着する構成としたことを特徴とする請求項２または３に記載の仮設トイレ。
【請求項１０】
前記手繰り寄せ手段は、前記便器本体上面の開口部縁部に、開口部を挟んで互いに対向すると共に、互いに近接離隔可能に配設した第１、第２の可動手繰り寄せ部材を備え、
前記用便袋を、前記第１、第２可動手繰り寄せ部材間に挟持すると共に、前記用便袋を、前記第１可動手繰り寄せ部材の谷部における通路を通じて、前記封着手段に押込んで前記用便袋を封着する構成としたことを特徴とする請求項２または３に記載の仮設トイレ。
【請求項１１】
仮設トイレにおいて、
上面に、使用者が座る便座を設けると共に、この便座下に用便袋の収容空間を形成した便器本体を備え、
前記用便袋は、開口部位にジップロックを設けて、開口部位の内周面を互いに押圧することで開口部位が封止される構成とし、
前記便器本体の上面近傍のいずれかの側面にスリット状取出し口を設け、
使用後に、用便袋の開口部位のジップロックを、前記スリット状取出し口を介して前記便器本体外側に向かって通過させることで、前記用便袋を封止するようにしたことを特徴とする仮設トイレ。
【請求項１２】
仮設トイレにおいて、
上面に、使用者が座る便座を設けると共に、この便座下に用便袋の収容空間を形成した便器本体を備え、
前記用便袋は、開口部近傍を封止可能に粘着加工を施し、
前記便器本体上面の開口部周縁部に、開口部を横切り移動可能に手繰り寄せ棒を架渡し配置し、
前記手繰り寄せ棒に前記便器本体内部収容空間にセットされる用便袋の開口側を当接させ、
前記手繰り寄せ棒を開口部を横切るように移動させることで、前記用便袋の開口内周面を手繰り寄せて、互いに封止する構成としたことを特徴とする仮設トイレ。
【請求項１３】
仮設トイレにおいて、
上面に、使用者が座る便座を設けると共に、この便座下に用便袋の収容空間を形成した便器本体を備え、
前記用便袋は、開口周囲に沿って開口部を締め込み可能に通した巾着用締込紐を有し、  前記便器本体は、便座下の開口部周縁部に、前記用便袋における巾着用締込紐を係止するためのスリットを設けると共に、スリットに封着手段を併設し、
前記便器本体側面に上下動可能に設けた操作手段にフックを設けて、このフックに巾着用締込紐を引っ掛けて、前記操作手段により、前記巾着用締込紐を引っ張り、前記用便袋を便器本体側面のスリット側に手繰り寄せると共に、前記封着手段により、前記用便袋の開口近傍を絞り込んだ状態で封着することを特徴とする仮設トイレ。
【請求項１４】
仮設トイレにおいて、
上面に、使用者が座る便座を設けると共に、この便座下に用便袋の収容空間を形成した便器本体を備え、
前記用便袋は、開口周囲を通して、両側に開口部位を締め込み可能に巾着用紐を露出させる構成とし、
前記便器本体は、便器本体の開口部の両側部に巾着用紐を係止するためのスリットを形成し、
これら便器本体の両側部におけるスリットの下方位置にそれぞれフック部材を上下動可能に突出させ、
これらフック部材を連動させるための操作手段を設けたことを特徴とする仮設トイレ。
【請求項１５】
仮設トイレにおいて、
上面に、使用者が座る便座を設けると共に、この便座下に用便袋の収容空間を形成した便器本体を備え、
前記便器本体には封着手段を併設すると共に、この封着手段に向けて、前記収容空間の開口部を横切るように手繰り寄せ棒を配置し、この手繰り寄せ棒はコプリングを介して装着されていることを特徴とする仮設トイレ。
【発明の詳細な説明】
【技術分野】
【０００１】
本発明は、例えば災害時やイベント時に用いられるような仮設トイレにおける便器において、トイレ使用後に手動による操作力を利用し、用便袋の処理を可能とした、仮設トイレに関するものである。
【背景技術】
【０００２】
近年、大きな災害が国の内外で頻繁に発生しているが、災害時の飲用水や食料の確保と同時に、トイレの確保は切実な問題の中の一つであることは論を待たない。
特に、災害多発地帯であるわが国では、普段から災害に備えて、非常用のトイレ設備を準備しておくことが望ましい。
【０００３】
しかしながら、非常用のトイレ設備は、用を足した後の処理に動力を使うことを想定した構成のものではなく、人手で何らかの処理を行うことを前提としている。
【０００４】
例えば、そのようなトイレ設備の一つとしては、特許文献１に示すような組立式簡易トイレが開示されている。
この組立式簡易トイレでは、災害時の断水に際し、通常の水洗トイレが使用できなくなった場合、簡易に組み立てて、トイレ室内等で使用できるようにしたものである。
すなわち、この組立式簡易トイレでは、組み立てて箱型に立設されるトイレ本体と、このトイレ本体の開口部の対角線上に対向する隅部に係止される用便袋掛止用脚部を有する用便袋吊下部と、トイレ本体に嵌合・配置される便座部と、使用済み用便袋を収納する保存袋とから構成されている。
【０００５】
【特許文献１】実開平７−１７１９８号公報
【０００６】
特許文献１にかかる組立式簡易トイレによれば、保存袋を有して使用後の用便袋を収納しておき、災害による断水等が回復するのを待って、廃棄処理することができるとしている。
【発明の開示】
【発明が解決しようとする課題】
【０００７】
しかしながら、使用後の用便袋を収納しておくことができるにしても、便器にセットされた用便袋は、使用者自ら始末するために、手で、開口部を縛って、閉めるという作業を伴うので煩わしくもあり、ここを何とか、手を使わずに用便袋を処理できないかという要望が出ている。
本発明は、このような背景から提案されたものであって、トイレ使用後に何らかの手動的な操作力を利用し、用便袋の処理が可能となる機能を備えた、仮設トイレを提供することを目的とする。
【課題を解決するための手段】
【０００８】
上記課題を解決するために、請求項１に記載の発明では、仮設トイレにおいて、上面に、使用者が座る便座を設けると共に、この便座下に用便袋の収容空間を形成した便器本体を備え、この便器本体には、手繰り寄せた使用後の用便袋を通過させることで、この用便袋の開口側を封着する封着手段を備えたことを特徴とする。
【０００９】
これにより、手繰り寄せた使用後の用便袋の開口側を容易に封着することができ、容易に用便袋を処理することができる。
【００１０】
請求項２に記載の発明では、便器本体には、使用後の用便袋を封着手段まで手繰り寄せる手繰り寄せ手段を設けたことを特徴とする。
【００１１】
これにより、使用者は手を煩わすことなく、用便袋を手繰り寄せることができる。
【００１２】
また請求項３に記載の発明では、封着手段は、便器本体の開口部に連通する導入路を設けたユニット基体を備え、このユニット基体には、導入路を挟んで、スプロケット、ガイドレバー、ガイドローラ、カッターを配設し、用便袋の開口近傍を封着するための封着用テープを引き出し可能に保持するロールを備えたことを特徴とする。
【００１３】
これにより、使用者は、手繰り寄せられた用便袋の開口近傍を、導入路を通過させるだけで、スプロケット、ガイドレバー間に、ロールから封着用テープをもたらし、スプロケットの回転により、用便袋の開口近傍に封着用テープを巻き付けて封着し、ガイドローラ、カッター間に封着用テープを巻き付けた用便袋の開口近傍を通過させることで、カッターを揺動させ、余分な封着用テープを切断分離することができる。
【００１４】
また請求項４に記載の発明では、手繰り寄せ手段は、便器本体の開口部周縁部に対し、常時、拡散する方向に付勢されている紐状部材と、この紐状部材を、付勢力に抗して引っ張ることで、便器本体の内部収容空間にセットされた用便袋を、封着手段のユニット基体における導入路に手繰り寄せる操作手段とを備えたことを特徴とする。
【００１５】
これにより、便器本体の開口部を通して内部収容空間にセットされた用便袋を、踏込み操作手段の操作によって、便器本体の開口部周縁部の紐状部材を、付勢力に抗して引っ張って、用便袋を封着手段側にもたらし、処理することができる。
【００１６】
また請求項５に記載の発明では、手繰り寄せ手段は、便器本体上面の開口部周縁部に開口部を挟んで一対配置した手繰り寄せ棒を備え、これら手繰り寄せ棒は、一方を可動側とすると共に、他方側を固定側として、可動側の手繰り寄せ棒を固定側の手繰り寄せ棒に向かって、前記便器本体の内部収容空間にセットされた用便袋を挟んだ状態で開口部を横切り移動させる構成とする一方、それぞれ軸方向に、便器本体から引き出し可能に構成し、固定側の手繰り寄せ棒近傍の便器本体に、封着手段に通ずる手繰り寄せ用の凹部を設け、手繰り寄せ棒には、便器本体の凹部と対向する側に手繰り寄せ用のフックを突設したことを特徴とする。
【００１７】
これにより、便器本体にセットされた用便袋は、一対の手繰り寄せ棒に挟まれた状態にあり、従って、使用後に用便袋を手繰り寄せるには、可動側の手繰り寄せ棒を、固定側の手繰り寄せ棒まで便器本体の開口部を横切るように移動させ、外部の引き出し操作手段によって、軸方向に引き出すことで、手繰り寄せ用のフックを便器本体の凹部までもたらして、便器本体にセットされた用便袋を封着手段に手繰り寄せて処理することができる。
【００１８】
また請求項６に記載の発明では、手繰り寄せ手段は、便器本体上面の開口部周縁部に開口部を挟んで一対配置した手繰り寄せ棒を備え、これら手繰り寄せ棒は、双方とも開口部を横切る方向に移動可能とすると共に、間に便器本体の内部収容空間にセットされた用便袋を挟んだ状態で、開口部を横切り移動して互いに当接させる構成とする一方、それぞれ軸方向に、便器本体から引き出し可能に構成し、便器本体中間部位に、封着手段に通ずる手繰り寄せ用の凹部を設け、手繰り寄せ棒には、便器本体の凹部と対向する側に手繰り寄せ用のフックを突設したことを特徴とする。
【００１９】
これにより、一対の手繰り寄せ棒間に用便袋を挟んだ状態で、双方を動かして、便器本体中間部位に位置する、封着手段に通ずる手繰り寄せ用の凹部にもたらし、双方の手繰り寄せ棒を、軸方向に引き出して、手繰り寄せ用のフックにより、用便袋を封着手段に手繰り寄せることができる。
【００２０】
また請求項７に記載の発明では、手繰り寄せ手段は、便器本体の開口部上に、二つのループを交差するように形成したワイヤ部材を備え、このワイヤ部材の二つのループを形成する交差箇所には、交差箇所を移動可能として、二つのループの大きさを変える構成とした交差位置調整部材を介在させ、この交差位置調整部材は、便器本体側面に沿って移動可能に設けた移動手段と接続し、交差位置調整部材は、常に一定方向に移動するように付勢し、交差位置調整部材を付勢力に抗して移動させることで、ループ内に挟まれた用便袋を便器本体に併設した封着手段に手繰り寄せる構成としたことを特徴とする。
【００２１】
これにより、移動手段により、交差位置調整部材を付勢力に抗して移動させることで、ループ内に挟まれた用便袋を便器本体に併設した封着手段に手繰り寄せることができる。
【００２２】
また請求項８に記載の発明では、手繰り寄せ手段は、便器本体の開口部上に、二つのループを交差するように形成したワイヤ部材を備え、このワイヤ部材の二つのループを形成する、交差箇所には、交差箇所を移動可能として、二つのループの大きさを変える構成とした交差位置調整部材を介在させ、この交差位置調整部材は、便器本体側面に沿って移動可能に設けた移動手段と接続し、交差位置調整部材は、双方向に移動可能とし、交差位置調整部材を双方向に移動させることで、双方のループ内に交互に用便袋を挟んで便器本体両側に併設した封着手段に手繰り寄せる構成としたことを特徴とする。
【００２３】
これにより、交差位置調整部材を双方向に移動させることで、双方のループ内に交互に用便袋を挟んで便器本体両側に併設した封着手段に手繰り寄せることができる。
【００２４】
また請求項９に記載の発明では、手繰り寄せ手段は、便器本体の内部収容空間に対向するように配設した可動締込当接部材と固定締込当接部材とを備え、可動締込当接部材には、封着手段を搭載すると共に、起立した際の固定締込当接部材に対向する上面の中心に、封着手段につながる凹部を形成し、用便袋を、可動締込当接部材と固定締込当接部材との間に挟持すると共に、用便袋を、可動締込当接部材の谷部における凹部を通じて、封着手段に押込んで用便袋を封着する構成としたことを特徴とする。
【００２５】
これにより、用便袋を、可動締込当接部材と固定締込当接部材との間に挟持すると共に、用便袋を、可動締込当接部材の谷部における凹部を通じて、封着手段に押込んで用便袋を封着することができる。
【００２６】
また請求項１０に記載の発明では、手繰り寄せ手段は、便器本体上面の開口部縁部に、開口部を挟んで互いに対向すると共に、互いに近接離隔可能に配設した第１、第２の可動手繰り寄せ部材を備え、用便袋を、第１、第２可動手繰り寄せ部材間に挟持すると共に、第１可動手繰り寄せ部材の谷部における通路を通じて、封着手段に押込んで用便袋を封着する構成としたことを特徴とする。
【００２７】
これにより、第１、第２可動手繰り寄せ部材間に用便袋を挟持した状態で、第１可動手繰り寄せ部材の谷部における通路を通じて、封着手段に押込んで用便袋を封着することができる。
【００２８】
また請求項１１に記載の発明では、仮設トイレにおいて、上面に、使用者が座る便座を設けると共に、この便座下に用便袋の収容空間を形成した便器本体を備え、用便袋は、開口部位にジップロックを設けて、開口部位の内周面を互いに押圧することで開口部位が封止される構成とし、便器本体の上面近傍のいずれかの側面にスリット状取出し口を設け、使用後に、用便袋の開口部位のジップロックを、スリット状取出し口を介して便器本体外側に向かって通過させることで、用便袋を封止するようにしたことを特徴とする。
【００２９】
これにより、用便袋のジップロックをスリット状取出し口を介して便器本体外側に向かって通過させるだけで、用便袋の開口部を封止することができる。
【００３０】
また請求項１２に記載の発明では、仮設トイレにおいて、上面に、使用者が座る便座を設けると共に、この便座下に用便袋の収容空間を形成した便器本体を備え、用便袋は、開口部近傍を封止可能に粘着加工を施し、便器本体上面の開口部周縁部に、開口部を横切り移動可能に手繰り寄せ棒を架渡し配置し、手繰り寄せ棒に便器本体内部収容空間にセットされる用便袋の開口側を当接させ、手繰り寄せ棒を開口部を横切るように移動させることで、用便袋の開口内周面を手繰り寄せて、互いに封止する構成としたことを特徴とする。
【００３１】
これにより、手繰り寄せ棒を、開口部を横切るように移動させることで、用便袋の開口内周面を、帯状の粘着材によって互いに封着することができる。
【００３２】
また請求項１３に記載の発明では、仮設トイレにおいて、上面に、使用者が座る便座を設けると共に、この便座下に用便袋の収容空間を形成した便器本体を備え、用便袋は、開口周囲に沿って開口部を締め込み可能に通した巾着用締込紐を有し、便器本体は、便座下の開口部周縁部に、用便袋における巾着用締込紐を係止するためのスリットを設けると共に、スリットに封着手段を併設し、便器本体側面に上下動可能に設けた操作手段にフックを設けて、このフックに巾着用締込紐を引っ掛けて、操作手段により、巾着用締込紐を引っ張り、用便袋を便器本体側面のスリット側に手繰り寄せると共に、封着手段により、用便袋の開口近傍を絞り込んだ状態で封着することを特徴とする。
【００３３】
これにより、踏込みステップの操作によって、巾着用締込紐を引っ張り、前記用便袋は、開口周囲を通して、両側に開口部位を締め込み可能に巾着用紐を露出させる構成とし、
前記便器本体は、便器本体の開口部の両側部に巾着用紐を係止するためのスリットを形成し、
これら便器本体の両側部におけるスリットの下方位置にそれぞれフック部材を上下動可能に突出させ、
これらフック部材を連動させるための操作手段を設けたことを特徴とする便器本体側面のスリット側に手繰り寄せると共に用便袋の開口を閉めこむことができる。
なお、便器本体側面のスリットに封着手段を併設すれば、用便袋の開口近傍を絞り込んだ状態で封着することができる。
【００３４】
また請求項１４に記載の発明は、仮設トイレにおいて、上面に、使用者が座る便座を設けると共に、この便座下に用便袋の収容空間を形成した便器本体を備え、用便袋は、開口周囲を通して、両側に開口部位を締め込み可能に巾着用紐を露出させる構成とし、便器本体は、便器本体の開口部の両側部に巾着用紐を係止するためのスリットを形成し、これら便器本体の両側部におけるスリットの下方位置にそれぞれフック部材を上下動可能に突出させ、これらフック部材を連動させるための操作手段を設けたことを特徴とする。
【００３５】
これにより、操作手段によって、容易に、用便袋の開口部位を締め込み、封着手段により、処理することができる。
【００３６】
さらに、請求項１５に記載の発明では、仮設トイレにおいて、上面に、使用者が座る便座を設けると共に、この便座下に用便袋の収容空間を形成した便器本体を備え、便器本体には封着手段を併設すると共に、この封着手段に向けて、収容空間の開口部を横切るように手繰り寄せ棒を配置し、この手繰り寄せ棒はコプリングを介して装着されていることを特徴とする。
【００３７】
以上により、コプリングにおける弾性力に抗して便器本体に併設した封着手段に向けて、開口部を横切るように手繰り寄せ棒を移動して、用便袋を手繰り寄せたら、手を離せば、自在に、コプリングの弾性力により、復帰させ、次の用便袋をセットすることができる。
【発明を実施するための最良の形態】
【００３８】
図１、図２に本発明にかかる仮設トイレ１を示す。
この仮設トイレ１は箱状の便器本体２を有し、この便器本体２には、上面に設けた、内部収容空間３に至る開口部Ｏに、使用者が座る便座４を設け、使用時に便座４下方の内部収容空間３に用便袋５を収容する構成としている。
そして便器本体２には、手繰り寄せた使用後の用便袋５を通過させることで、この用便袋５の開口側を封着する封着手段６を併設している。
【００３９】
便器本体２は、高さ寸法は例えば人体の標準的座面高寸法に対応しており、縦横の寸法も、使用者が便座４を介して跨ぐことができる寸法設定としている。
便器本体２の上面には、角部をなくした長方形状の開口部Ｏを形成し、開口部Ｏ周縁部に、開口部Ｏ周縁部形状に対応させた便座４を起伏可能に取着している。
また開口部Ｏには、後述する封着手段６に、使用後の用便袋５を通過させるための通路７を設けている（図３参照）。
【００４０】
便座４は、周知の閉ループ型、開ループ型いずれの形状のものでもよく、開口部Ｏ周縁部において安定的に支持されるように、開口部Ｏ周縁部に対応する寸法形状としている。
【００４１】
用便袋５は、便器本体２の内部収容空間３を満たす寸法以上のものであれば、いずれのものでもよい。なお、素材としては、簡単には破れにくく、非透明の防水性素材が好ましい。また、焼却可能な素材であればなおよい。
【００４２】
そして、封着手段６について一例を挙げ、以下、詳細に説明する。
封着手段６は、便器本体２に、便器本体２の開口部Ｏに隣接して設けたもので、便器本体２の開口部Ｏにおける通路７に連通する導入路８を設けたユニット基体９を備えている（図３参照）。
このユニット基体９には、図４に示すように、導入路８に沿って、封着手段６を構成するスプロケット１０、ガイドレバー１１、ガイドローラ１２、カッター（後述）を搭載するカッターレバー１３が配設されている。
【００４３】
すなわち、導入路８の入口側には、スプロケット１０とガイドレバー１１とが、導入路８を挟んで対峙するように配設されている。この場合、ガイドレバー１１は、全体略への字型形状のもので、屈曲部中央箇所を回動自在に軸止めすると共に、基端側にばね部材１４を取り付け、常に一定の姿勢に復元可能としている。また、ガイドレバー１１の軸止め箇所から先端側にかけての箇所は、スプロケット１０の回転によって導入される封着用テープおよび用便袋５をガイドするガイド部材としての機能を備えている。
【００４４】
一方、導入路８の奥側には、ガイドローラ１２とカッターレバー１３とが導入路８を挟んで対峙するように配設されている。
カッターレバー１３は、への字型形状の部材であり、末端側寄りの箇所において揺動可能に取付けられている。
カッターレバー１３の先端には、カッター１５が固定され、カッターレバー１３の末端側は、ガイドローラ１２に当接している。カッターレバー１３においても、ばね部材１６を取付けて、常時所定の姿勢に復元可能に支持するようにしている。
なお、導入路８の最奥部は、導入路８の入口側、中間側の幅寸法に比較して幅広に形成して、封着済みの用便袋５を落とし込んで、封着手段６の側部側から取り出すようにしている。
【００４５】
さらに、封着手段６におけるユニット基体９には、用便袋５の開口近傍を封着するための封着用テープ１７のロール１８が着脱可能に支持されている。
この場合、封着用テープ１７は、一面側に粘着材を塗布したもので、この粘着材を塗布した面が表面にくるように巻回してロール１８としている。
【００４６】
本発明にかかる仮設トイレ１は以上のように構成されるものであり、次に、その使用手順、作用について説明する。
使用に先立ち、使用者は、便器本体２の開口部Ｏから内部収容空間３に用便袋５をセットする（図２参照）。
これにより、使用者は、用便袋５がセットされた便器本体２の開口部Ｏ周縁部上に便座４を倒伏させ、便座４上に座って、用を足すことができる。
【００４７】
用足しが済むと、使用者は便座４を持ち上げ（図５参照）、用便袋５の開口側近傍を絞り込む状態で用便袋５を握る。
次に、使用者は、その用便袋５を絞り込んだ状態で、開口部Ｏに設けた通路７を通って、封着手段６におけるユニット基体９の導入路８にもたらす。
【００４８】
次に使用者は、封着手段６において、用便袋５をユニット基体９の導入路８に沿って押込んでいくと、その導入路８には、予め封着用テープ１７がロール１８から引き出されているので（図６参照）、用便袋５は、導入路８を挟んで対峙するスプロケット１０とガイドレバー１１との間を通過する際に、用便袋５に封着用テープ１７の粘着面が接触しつつ、スプロケット１０が回転することによって、封着用テープ１７が用便袋５の開口近傍に巻き付けることができる（図７、図８参照）。
この際、用便袋５は、スプロケット１０とガイドレバー１１との間に、ガイドレバー１１に作用するばね部材１４によって、挟持された状態で導入路８を通過するので、用便袋５の開口近傍を、封着用テープ１７によって封着することができるのである。
【００４９】
そして、使用者はさらに、用便袋５を導入路８に沿って押込んでいくと、封着用テープ１７によって開口近傍を封着された用便袋５が、導入路８下流側の、ガイドローラ１２とカッターレバー１３との間にもたらされる。
ガイドローラ１２とカッターレバー１３との間を通過する際に、カッター１５が固定されたカッターレバー１３の末端側に当接して、カッターレバー１３がばね部材１６の付勢力に抗して押込まれて変位し、これによって、カッターレバー１３に固定されたカッター１５が突出して、用便袋５に巻き付けられた封着用テープ１７に当たり、封着用テープ１７を切断することができる（図９参照）。
封着用テープ１７が切断されると、封着手段６を構成するガイドレバー１１、並びに、カッター１５を固定するカッターレバー１３は、それぞれ、ばね部材１４、１６によって操作前の状態に復帰させることができる。
そして、用便袋５は最終的に、導入路８の最奥部において封着された状態の用便袋５を落とし込んで、封着手段６の側部側から取り出すことができるのである。
【００５０】
このように、本発明にかかる仮設トイレ１によれば、使用者は、用足し後、用便袋５の開口側を絞り込んだ状態で握って、便器本体２に併設した封着手段６を通過させるだけで、簡単に用便袋５の開口側を封着し、始末処理することができるので、使用者に負担かけることがなく、衛生的に処理することができるので、災害発生時や、イベント時などで用いられる仮設トイレとして好適なものとなる。
【００５１】
以上、本発明について、仮設トイレ１の一例を挙げて説明したが、仮設トイレ１に封着手段６に対し、上述のような手により絞り込んだ状態で手繰り寄せる他、手繰り寄せ手段を設けることも可能である。手繰り寄せ手段としては、以下の構成のものが可能である。
【００５２】
例えば、図１０〜図１２に示すように、便器本体２の開口部Ｏ周縁部には、手繰り寄せ手段としての紐状部材１９を掛け渡している。この場合、紐状部材１９は、一端側を例えば封着手段６の導入路８の奥近傍に固定しておき、開口部Ｏ周縁部に沿って掛け渡して、他端側を封着手段６の導入路８の奥近傍の、一端側を固定した箇所の対面側に設けたガイド部材（例えばプーリなど）を経由して、操作手段として、例えば踏込み操作手段２０に接続している。その際、紐状部材１９は、適宜な弾性手段によって、拡開する方向に、常時付勢されている。
【００５３】
踏込み操作手段２０は、便器本体２傍らに載置したステップ２１とステップ２１の踏込み操作に連動するワイヤ部材２２で構成されている。
すなわち、踏込み操作手段２０におけるワイヤ部材２２を、前述した開口部Ｏ周縁部に掛け渡された紐状部材１９の他端側に、例えば巻取機構を介して接続して、紐状部材１９を弾性手段による付勢力に抗して引っ張ることで、開口部Ｏから便器本体２の内部収容空間３にセットされた用便袋５を、便器本体２の開口部Ｏに設けた通路７に手繰り寄せ、封着手段６におけるユニット基体９の導入路８にもたらして、封着用テープ１７における用便袋５の開口近傍を封着する構成である。
【００５４】
以上のような手繰り寄せ手段を設けたものにあっては、便器本体２の開口部Ｏから内部収容空間３にセットされた用便袋５は、開口部Ｏ周縁部に掛け渡された紐状部材１９に囲まれた状態にあり、踏込み操作手段２０により、便器本体２の開口部Ｏに設けた通路７に手繰り寄せ、封着手段６におけるユニット基体９の導入路８にもたらすことができるので、使用者は、用便袋５を手を使わず処理することができる。
【００５５】
また、本発明における仮設トイレでは、以下のような手繰り寄せ手段も可能である。このような仮設トイレにおいても、図１、図２で示した仮設トイレ１で用いられた封着手段６を備えていることを前提としている。なお、以下に示す変形例では、図１、図２で示した仮設トイレ１と、実質的に同様な構成要素に対しては、同符号を付すと共に、重複する説明は省略するものとする。以下、列挙する。
【００５６】
図１３に示す仮設トイレ１では、手繰り寄せ手段としては、便器本体２上面の開口部Ｏ周縁部に開口部Ｏを適宜な操作手段（図示省略）により、横切り移動可能に架渡し配置した、手繰り寄せ棒３０を備えている。
この場合、手繰り寄せ棒３０は、便器本体２上面の開口部Ｏを挟んで一対配置して、一方の手繰り寄せ棒３０を可動側とし、他方側の手繰り寄せ棒３０を固定側としている。
これら手繰り寄せ棒３０は、それぞれ軸方向に、すなわち、横切り移動方向とは直交方向に、便器本体２から、引き出し可能に構成している（図１４参照）。
【００５７】
便器本体２の固定側の手繰り寄せ棒３０近傍には、封着手段６に通ずる手繰り寄せ用の凹部３１を設けている。
そして、手繰り寄せ棒３０には、便器本体２の凹部３１と対向する側に手繰り寄せ用のフック３２を突設している。すなわち、手繰り寄せ棒３０は、適宜な引き出し操作手段（図示省略）によって軸方向に引き出すことで、手繰り寄せ用のフック３２を便器本体２の凹部３１までもたらすことで、便器本体２にセットされた用便袋５を封着手段６に手繰り寄せる構成である。
【００５８】
以上のような仮設トイレ１によれば、便器本体２にセットされた用便袋５は、一対の手繰り寄せ棒３０に挟まれた状態にあり、従って、使用後に用便袋５を手繰り寄せるには、可動側の手繰り寄せ棒３０を、固定側の手繰り寄せ棒３０まで便器本体２の開口部Ｏを横切るように移動させ、外部の引き出し操作手段によって、軸方向に引き出すことで、手繰り寄せ用のフック３２を便器本体２の凹部３１までもたらして、便器本体２にセットされた用便袋５を封着手段６に手繰り寄せて処理することができる。
【００５９】
本発明の仮設トイレ１における手繰り寄せ手段としては、次のような構成も可能である。
この場合、図１５に示すように、一対の手繰り寄せ棒３０，３０を双方とも可動する構成とすることもできる。
便器本体２中間部位に、封着手段６に通ずる手繰り寄せ用の凹部３１を設け、手繰り寄せ棒３０の凹部３１と対向する側に手繰り寄せ用のフック３２を突設している。
以上のような手繰り寄せ棒３０，３０においても、図１３に示す仮設トイレ１で用いられた引き出し操作手段により、軸方向に引き出すことで（図１６参照）、手繰り寄せ用のフック３２を便器本体２の凹部３１までもたらすことで、便器本体２にセットされた用便袋５を封着手段６に手繰り寄せて処理する構成である。
【００６０】
本発明の仮設トイレ１は、以下のように構成することもできる。
この場合の仮設トイレ１では、手繰り寄せ手段として、図１７に示すように、便器本体２上の開口部Ｏに、二つのループを交差するように形成したワイヤ部材４０を備えている。ワイヤ部材４０の二つのループを形成する、交差箇所には、交差箇所を移動可能として、二つのループの大きさを変える構成とした交差位置調整部材４１を介在させている。この交差位置調整部材４１は、便器本体２側面にあって、側面に沿って移動可能な移動手段４２と接続している。この場合、移動手段４２は、適宜な付勢手段（図示省略）によって、常に一定方向に移動するように付勢されている。
すなわち、移動手段４２を、付勢手段に抗して移動させることで、ループ内に挟まれた用便袋５を便器本体２に併設した封着手段６に手繰り寄せる構成である。
【００６１】
なお、交差位置調整部材４１を付勢する付勢手段は必ずしもなくてもよい。
この場合、双方のループ内に交互に用便袋をセットすることができる。
この場合の便器本体２には、一対の封着手段６、６を設けることができる。
【００６２】
本発明の仮設トイレ１は、次のように構成することもできる。
この仮設トイレ１では、図１８に示すように、便器本体２の内部収容空間に、対向するように可動締込当接部材５０、固定締込当接部材５１を配設し、一方の可動締込当接部材５０を他方の固定締込当接部材５１に向かって、適宜な起立操作手段により起伏可能に設け、この可動側の可動締込当接部材５０に封着手段６を搭載する構成としている。
【００６３】
可動側の可動締込当接部材５０は、断面鍵形形状のもので、便器本体２の内部収容空間に、ばね部材５２を介して起伏可能に取付けられている（図１９参照）。この場合、可動締込当接部材５０が起立した際の上面、すなわち、固定側の固定締込当接部材５１に対向する上面は、略Ｖ字状のもので、中心の谷部には、封着手段６につながる凹部５３を形成している。
一方、固定側の固定締込当接部材５１は、内部収容空間中心に向かって凹状に形成されている。
【００６４】
そして、可動側の可動締込当接部材５０には、固定側の固定締込当接部材５１に対向する上面に、封着手段６を搭載している。
【００６５】
以上構成の仮設トイレ１において、便器本体２の内部収容空間に用便袋５をセットすると、可動側の可動締込当接部材５０は内部収容空間底面側に倒伏した状態にあり、用便袋５は、可動側の可動締込当接部材５０と固定側の固定締込当接部材５１間に配置させることができる（図１９参照）。
【００６６】
使用者が便座４を倒して、用足し後、所定の起立手段で、ばね部材５２のばね力に抗して可動締込当接部材５０を起立させると（図２０参照）、用便袋５は、可動側の可動締込当接部材５０と固定側の固定締込当接部材５１との間に挟持された状態になり、これにより、用便袋５は、可動側の可動締込当接部材５０の中心の谷部における凹部５３を通じて、封着手段６に押し込められ、用便袋５の封着がなされる（図２１参照）。
【００６７】
なお、以上の仮設トイレ１では、可動側の可動締込当接部材５０と固定側の固定締込当接部材５１とを、便器本体２の内部収容空間に設けるとしたが、勿論、これに限らず、双方の締込当接部材を可動可能な構成とすることもできる。
例えば図２２に示す仮設トイレ１のように、便器本体２上面の開口部縁部に、開口部を挟んで互いに対向すると共に、互いに近接離隔可能に配設した第１、第２の可動手繰り寄せ部材６０ａ、６０ｂを備え、用便袋５を、第１、第２可動手繰り寄せ部材６０ａ、６０ｂ間に挟持すると共に、用便袋５を、第１可動手繰り寄せ部材６０ａの谷部における通路６１を通じて、封着手段６に押込んで用便袋５を封着する構成としている。
【００６８】
第１、第２可動手繰り寄せ部材６０ａ、６０ｂは、適宜な操作手段（図示省略）により、互いに対向する側を近接するように動作する構成としている。第１、第２可動手繰り寄せ部材６０ａ、６０ｂの互いに対向する縁の形状を中心が退行したＶ字状に形成され、第１可動手繰り寄せ部材６０ａの谷部中心に、封着手段６に連なる通路６１を形成している。
【００６９】
このような仮設トイレ１において、用便袋５を、第１、第２可動手繰り寄せ部材６０ａ、６０ｂ間にセットした状態で、用足しが済むと、使用者は操作手段により操作することで、第１、第２可動手繰り寄せ部材６０ａ、６０ｂを互いに近接させていくことができる。
用便袋５は、第１、第２可動手繰り寄せ部材６０ａ、６０ｂの対向する中心部に閉め込まれるように手繰り寄せられ（図２３、図２４参照）、用便袋５は、やがて第１可動手繰り寄せ部材６０ａの谷部中心の通路６１から、封着手段６にもたらされ（図２５参照）、用便袋５の封着がなされる。
【００７０】
また本発明では、次のように構成することもできる（図２６〜図３１参照）。
この場合の仮設トイレ１では、封着手段６を併設した便器本体２において、開口部Ｏを横切るように手繰り寄せ棒７０を配置し、この手繰り寄せ棒７０はコプリング７１を介して装着している。
コプリング７１は、常時、巻回する方に付勢する弾性長尺帯７２を巻き取り保持したもので、手繰り寄せ棒７０を所定の引っ張り力を超えた力で引っ張ることにより、弾性長尺帯７２を引き出して封着手段６側に、手繰り寄せ棒７０により、用便袋５を手繰り寄せる構成である。
【００７１】
このような構成により、適宜な引張り手段により手繰り寄せ棒７０を、封着手段６側に向かって手繰り寄せ操作した後は、常時、コプリング７１における弾性長尺帯７２の弾性力により、手繰り寄せ棒７０を元の位置に復帰させることができる。
【００７２】
以上、本発明の仮設トイレ１について、種々の実施形態を挙げ、説明したが、以上の実施形態では、用便袋５は、通常の構成のものを使用することを前提としたものである。
本発明は、以上のような構成に限らず、用便袋５側に、独特の工夫を凝らすと共に、併せて便器本体２側も、用便袋５に対応して構成することができる。
【００７３】
図３２に示す仮設トイレ１では、開口部位がジップロック状の用便袋５を用いている。
この場合、用便袋５は、開口部位に周知の構成のジップロック８０が設けられている。ジップロック８０は、開口部位の内周面のうち、半周面には、オス部材、対応する半周面には、メス部材が敷設されている。
これら、開口部位の内周面を互いに押圧することで開口部位が封着される構成である。
このような用便袋５を用いるために、便器本体２の上面近傍のいずれかの側面には、スリット状取出し口８１を設けている。
なお、この他、上記仮設トイレ１には、使用後の用便袋５をスリット状取出し口８１を介して取出すための適宜な操作手段を設けることもできる。
【００７４】
以上のような構成において、使用時に、用便袋５の開口部位を開いた状態でセットし、使用後に、使用者は、用便袋５の開口部位を持って、便器本体２のスリット状取出し口８１に外側から引き込むようにする（図３３参照）。
これにより、用便袋５の開口部位におけるジップロック８０が作用し、スリット状取り出し口７を通過する際にジップロック８０を構成するオス部材とメス部材とが、押圧され互いに嵌合して開口部位を封着することができる（図３４参照）。
【００７５】
また本発明では、次のように構成することもできる。
図３５に示す仮設トイレ１では、用便袋５の開口内周面に帯状に粘着材９０を付している。
このような用便袋５を使用するためには、便器本体２は次のように構成することが考えられる。
すなわち、便器本体２上面の開口部Ｏ周縁部に開口部Ｏを横切り移動可能に、手繰り寄せ棒９１を架渡し配置し、この手繰り寄せ棒９１に対して、移動させるための操作手段（図示省略）を便器本体２側面に配設し、手繰り寄せ棒９１に便器本体２内部収容空間にセットされる用便袋５の開口側を当接させ、操作手段の操作により、手繰り寄せ棒９１を開口部Ｏを横切るように移動させることで、用便袋５の開口内周面を、帯状の粘着材９０によって互いに封着することができる。
【００７６】
また本発明では、次のように構成することもできる。
図３６に示す仮設トイレ１では、用便袋５は、開口周囲に沿って、巾着用締込紐１００を通し、いわゆる巾着袋として構成している。このような用便袋５を使用するためには、便器本体２は次のように構成することが考えられる。
この便器本体２では、便座４下の開口部Ｏ周縁部に、用便袋５を開口部位を広げた状態でセットする際に、巾着用締込紐１００が開口部Ｏを介して便器本体２側面に設けたスリット１０１から外側に露出させるようにし、便器本体２側面に上下動可能に設けた操作手段としての踏込みステップ１０２にフック１０３を設けて、このフック１０３に巾着用締込紐１００を引っ掛けて、踏込みステップ１０２の操作によって、巾着用締込紐１００を引っ張り、用便袋５を便器本体２側面のスリット１０１側に手繰り寄せると共に用便袋５の開口を閉めこむようにしている。
なお、便器本体２側面のスリット１０１に封着手段６を併設すれば、用便袋５の開口近傍を絞り込んだ状態で封着することができる。
【００７７】
なお、用便袋５としては、図３７に示すように、開口周囲に沿って、両側に巾着用紐１００を露出させる構成でもよい。
このようなタイプの用便袋５を用いる便器本体２は次のように構成することが考えられる。
すなわち、この場合の便器本体２では、便器本体２の開口部Ｏの両側部に巾着用紐１００を係止するためのスリット１１０，１１０を形成することができる。
そして、これら便器本体２の両側部におけるスリット１１０，１１０の下方位置にフック部材１１１，１１１を上下動可能に突出させ、これらフック部材１１１，１１１を連動させるための操作手段（踏込みステップ１１２）を設けている。
【００７８】
以上、本発明にかかる仮設トイレ１について、種々の実施形態を挙げ、説明したが、いずれにしても本発明にかかる仮設トイレ１は、トイレ使用後に何らかの手動的な操作力を利用し、用便袋の処理が可能となる機能を備えたことにより、使用者自ら用便袋５を容易に始末することができ、非常時や、イベント時に、仮に設置される仮設トイレとして好適であるといえる。
【図面の簡単な説明】
【００７９】
【図１】本発明にかかる仮設トイレの一例を示す、模式的な斜視説明図である。
【図２】図１に示す仮設トイレの使用を説明するための斜視説明図である。
【図３】図１に示す仮設トイレにおける便器本体の平面説明図である。
【図４】図３に示す便器本体における封着手段の構成の一例を示す、構成説明図である。
【図５】使用後の用便袋を封着手段に押込む際の斜視説明図である。
【図６】図４に示す便器本体における封着手段の作用を説明する作用説明図である。
【図７】図４に示す便器本体における封着手段の作用を説明する作用説明図である。
【図８】図４に示す便器本体における封着手段の作用を説明する作用説明図である。
【図９】図４に示す便器本体における封着手段の作用を説明する作用説明図である。
【図１０】本発明にかかる仮設トイレの別例を示す、模式的な斜視説明図である。
【図１１】図１０に示す仮設トイレにおける便器本体の平面説明図である。
【図１２】図１０に示す仮設トイレに用いられる手繰り寄せ手段の作用を説明する作用説明図である。
【図１３】本発明にかかる仮設トイレの別例を示す、模式的な斜視説明図である。
【図１４】図１３に示す仮設トイレに用いられる手繰り寄せ手段の作用を説明する作用説明図である。
【図１５】本発明にかかる仮設トイレの別例を示す、模式的な斜視説明図である。
【図１６】図１５に示す仮設トイレに用いられる手繰り寄せ手段の作用を説明する作用説明図である。
【図１７】本発明にかかる仮設トイレの別例を示す、模式的な平面説明図である。
【図１８】本発明にかかる仮設トイレの別例を示す、模式的な斜視説明図である。
【図１９】図１８に示す仮設トイレにおける便器本体の模式的断面説明図である。
【図２０】図１８に示す仮設トイレに用いられる手繰り寄せ手段の作用を説明する作用説明図である。
【図２１】図１８に示す仮設トイレに用いられる手繰り寄せ手段の作用を説明する作用説明図である。
【図２２】本発明にかかる仮設トイレの別例を示す、模式的な斜視平面説明図である。
【図２３】図２２に示す仮設トイレに用いられる手繰り寄せ手段の作用を説明する作用説明図である。
【図２４】図２２に示す仮設トイレに用いられる手繰り寄せ手段の作用を説明する作用説明図である。
【図２５】図２２に示す仮設トイレに用いられる手繰り寄せ手段の作用を説明する作用説明図である。
【図２６】本発明にかかる仮設トイレの別例を示す、模式的な平面説明図である。
【図２７】図２６に示す仮設トイレにおける便器本体の模式的断面説明図である。
【図２８】図２６に示す仮設トイレに用いられる手繰り寄せ手段の作用を説明する作用説明図である。
【図２９】図２６に示す仮設トイレに用いられる手繰り寄せ手段の作用を説明する作用説明図である。
【図３０】図２６に示す仮設トイレに用いられる手繰り寄せ手段の作用を説明する作用説明図である。
【図３１】図２６に示す仮設トイレに用いられる手繰り寄せ手段の作用を説明する作用説明図である。
【図３２】本発明にかかる仮設トイレの別例を示す、模式的な斜視説明図である。
【図３３】図３２に示す仮設トイレに用いられる用便袋を手繰り寄せる際の要部斜視説明図である。
【図３４】図３２に示す仮設トイレに用いられる用便袋を手繰り寄せたところを示す、斜視説明図である。
【図３５】本発明にかかる仮設トイレの別例を示す、模式的な斜視説明図である。
【図３６】本発明にかかる仮設トイレの別例を示す、模式的な斜視説明図である。
【図３７】本発明にかかる仮設トイレの別例を示す、模式的な斜視説明図である。
【符号の説明】
【００８０】
１    仮設トイレ
２    便器本体
３    内部収容空間
４    便座
５    用便袋
６    封着手段
７    通路
８    導入路
９    ユニット基体
１０    スプロケット
１１    ガイドレバー
１２    ガイドローラ
１３    カッターレバー
１４    ばね部材
１５    カッター
１６    ばね部材
１７    風着用テープ
１８    ロール
１９    紐状部材
２０    踏込み操作手段
２１    ステップ
２２    ワイヤ部材
３０    手繰り寄せ棒
３１    凹部
３２    フック
４０    ワイヤ部材
４１    交差位置調整部材
４２    移動手段
５０    締込当接部材
５１    締込当接部材
５２    ばね部材
５３    凹部
６０ａ    第１可動手繰り寄せ部材
６０ｂ    第２可動手繰り寄せ部材
６１    通路
７０    手繰り寄せ棒
７１    コプリング
７２    弾性長尺帯
８０    ジップロック
８１    スリット上取出し口
９０    粘着材
９１    手繰り寄せ棒
１００    巾着用締込紐
１０１    スリット
１０２    ステップ
１０３    フック
１１０    スリット
１１１    フック部材
１１２    踏込みステップ
【図１】
2008302087.tif 000003
【図２】
2008302087.tif 000004
【図３】
2008302087.tif 000005
【図４】
2008302087.tif 000006
【図５】
2008302087.tif 000007
【図６】
2008302087.tif 000008
【図７】
2008302087.tif 000009
【図８】
2008302087.tif 000010
【図９】
2008302087.tif 000011
【図１０】
2008302087.tif 000012
【図１１】
2008302087.tif 000013
【図１２】
2008302087.tif 000014
【図１３】
2008302087.tif 000015
【図１４】
2008302087.tif 000016
【図１５】
2008302087.tif 000017
【図１６】
2008302087.tif 000018
【図１７】
2008302087.tif 000019
【図１８】
2008302087.tif 000020
【図１９】
2008302087.tif 000021
【図２０】
2008302087.tif 000022
【図２１】
2008302087.tif 000023
【図２２】
2008302087.tif 000024
【図２３】
2008302087.tif 000025
【図２４】
2008302087.tif 000026
【図２５】
2008302087.tif 000027
【図２６】
2008302087.tif 000028
【図２７】
2008302087.tif 000029
【図２８】
2008302087.tif 000030
【図２９】
2008302087.tif 000031
【図３０】
2008302087.tif 000032
【図３１】
2008302087.tif 000033
【図３２】
2008302087.tif 000034
【図３３】
2008302087.tif 000035
【図３４】
2008302087.tif 000036
【図３５】
2008302087.tif 000037
【図３６】
2008302087.tif 000038
【図３７】
2008302087.tif 000039